(57)【要約】      （修正有）【課題】コンクリート型枠内に複数のアンカーボルトを長手方向に沿って正確な間隔で立設保持することができるコンクリート型枠用アンカーボルト保持治具を提供する。【解決手段】型枠１の上端部２ａ、４ａ間に両端が幅方向規制された状態で跨設保持され中央部に上記アンカーボルト１０の直径より大径の挿通孔８を穿設した保持板６と、保持板６の挿通孔８に挿通したアンカーボルト１０に螺挿し保持板６の上下面を挟持する一対のナット１２、１４とから構成される。保持板６の上面を締め付けるナット１４の締め付け面には、挿通孔８に嵌合する円形のボスが突設され、ボスは、その外径が保持板６の挿通孔８の内径と略同一で且つ締め付け面からの高さが保持板６の板厚以内で１／２以上に形成され、先端角部には、先端から、先端と締め付け面との間の略中央の位置にかけて傾斜面とした面取りが施されている。【選択図】図２
0003154621.tif 000002
【実用新案登録請求の範囲】
【請求項１】
コンクリートＣが打設される型枠１内に所定間隔毎に複数のアンカーボルト１０を立設保持するコンクリート型枠用アンカーボルト保持治具Ｊに於いて、
上記型枠１の上端部２ａ、４ａ間に両端が幅方向規制された状態で跨設保持され中央部に上記アンカーボルト１０の直径より大径の挿通孔８を穿設した保持板６と、該保持板６の挿通孔８に挿通したアンカーボルト１０に螺挿し上記保持板６の上下面を挟持する一対のナット１２、１４とから構成されて成り、
上記保持板６の上面を締め付けるナット１４の締め付け面には、上記挿通孔８に嵌合する円形のボス１６が突設され、該ボス１６は、その外径が上記保持板６の挿通孔８の内径と略同一で且つ上記締め付け面からの高さが上記保持板６の板厚以内で１／２以上に形成され、先端角部には、先端から、該先端と締め付け面との間の略中央の位置にかけて傾斜面とした面取り１８が施されていることを特徴とするコンクリート型枠用アンカーボルト保持治具。
【考案の詳細な説明】
【技術分野】
【０００１】
本考案は、コンクリート型枠用アンカーボルト保持治具の改良に関する。
【背景技術】
【０００２】
従来より、コンクリート基礎を加工する際にコンクリートの打設時に使用するコンクリート型枠内に所定間隔毎にアンカーボルトを立設保持するコンクリート型枠用アンカーボルト保持治具３０１として、図５、図６に示すように中央部にアンカーボルト３０２の挿通部３０４Ａを有し、かつ両端部が左右のコンクリート型枠３０３の天端に載置される保持板３０４と、挿通部３０４Ａに挿通されたアンカーボルト３０２に螺合され、かつ、保持板３０４を上下方向から挟持する一対のナット３０５とを備えており、保持板３０４の両端部には、上記型枠３０３の左右の天端３０３Ａ近傍に左右方向から係合可能な位置決め部材３０６を設けたものが知られている（例えば、特許文献１参照）。
【０００３】
図５は、従来のコンクリート型枠用間隔保持治具であって、アンカーボルト保持治具の設置状態を示すコンクリート型枠の断面図、図６は従来のアンカーボルト保持治具の設置状態を示すコンクリート型枠の平面図である。
【０００４】
図５、図６に示す保持板３０４は、両端部が下方に折り曲げられた長方形の鉄板により構成され、保持板３０４の挿通部３０４Ａは、アンカーボルト３０２の直径より若干大きい直径を有する円形孔として構成され、上記保持板３０４の両端部には、左右の天端３０３Ａに釘打ち可能とする小孔３０４Ｂが各２個形成されており、上記保持板３０４両端部の折曲げ部３０６Ａと両端部付近の下面に溶接されたアングル材３０６Ｂによって溝が形成されている。
【０００５】
このようにして構成されたコンクリート型枠用アンカーボルト保持治具３０１は、コンクリートの打設前に設置されるが、この設置作業に際してアンカーボルト３０２の上端から下部のナット３０５を螺挿してこれを保持板３０４の下面側から挿通部３０４Ａに挿通し、保持板３０４の上面側から突出したアンカーボルト３０２の上端側から上部ナット３０５を螺挿して締め上げることにより、保持板３０４の上下に配置された一対のナット３０５で保持板３０４を上下方向から挟持する。
【０００６】
続いて、アンカーボルト３０２が装着された保持板４両端部を型枠３０３左右の天端に載置して保持板３０４両端部の溝によって型枠３０３左右の天端近傍を挟持し、保持板３０４両端部の小孔３０４Ｂを通して型枠３０３の天端３０３Ａに釘打ちすることで保持板３０４を型枠３０３に対し上下方向に仮り止めする。
【０００７】
そこで、アンカーボルト保持治具３０１が設置された左右の型枠３０３内にコンクリートＡを打設し、これを所定時間養生させることで、アンカーボルト３０２が植設されたコンクリート基礎が構築され、構築後は、保持板３０４の上方に位置するナット３０５をアンカーボルト３０２から取外し、最後に残った下部ナット３０５をアンカーボルト３０２から取り外すことで基礎の施工が完成するようになっている。
【先行技術文献】
【特許文献】
【０００８】
【特許文献１】特開２０００−１０４２６３号公報
【考案の概要】
【考案が解決しようとする課題】
【０００９】
ところで、上記のようなコンクリート型枠用アンカーボルト保持治具３０１では、保持板３０４の挿通部３０４Ａは、アンカーボルト３０２の直径より若干大きい直径を有する円形孔として構成されているので、アンカーボルト３０２を保持板３０４に保持した状態で上記コンクリート型枠３０３の長手方向に一定間隔毎に配置した際に、アンカーボルト３０２は、挿通部３０４Ａの直径差により遊びが生じることから図６に示すように基準点０から一定間隔Ｘ１，Ｘ２，Ｘ３・・・毎に長手方向に累積誤差が生じる。
【００１０】
このため、複数列設したアンカーボルト３０２の間隔に誤差が生じると、予め工場内で製作された土台のアンカーボルト３０２取り付け孔の間隔がアンカーボルト３０２の間隔に合わないため大掛かりな補修作業か余儀なくされ、建築施工期間が大幅に遅延するだけでなく施工費用が増大する問題を有していた。
【００１１】
本考案はこのような問題点に着目してなされたもので、コンクリート型枠内に複数のアンカーボルトを長手方向に沿って正確な間隔で立設保持することができるコンクリート型枠用アンカーボルト保持治具を提供することを目的とする。
【課題を解決するための手段】
【００１２】
上記目的を解決するために、本考案の請求項１に記載のコンクリート型枠用アンカーボルト保持治具Ｊは、コンクリートＣが打設される型枠１内に所定間隔毎に複数のアンカーボルト１０を立設保持するコンクリート型枠用アンカーボルト保持治具Ｊに於いて、
上記型枠１の上端部２ａ、４ａ間に両端が幅方向規制された状態で跨設保持され中央部に上記アンカーボルト１０の直径より大径の挿通孔８を穿設した保持板６と、該保持板６の挿通孔８に挿通したアンカーボルト１０に螺挿し上記保持板６の上下面を挟持する一対のナット１２、１４とから構成されて成り、
上記保持板６の上面を締め付けるナット１４の締め付け面には、上記挿通孔８に嵌合する円形のボス１６が突設され、該ボス１６は、その外径が上記保持板６の挿通孔８の内径と略同一で且つ上記締め付け面からの高さが上記保持板６の板厚以内で１／２以上に形成され、先端角部には、先端から、該先端と締め付け面との間の略中央の位置にかけて傾斜面とした面取り１８が施されていることを特徴とするコンクリート型枠用アンカーボルト保持治具である。
上記のコンクリート型枠用アンカーボルト保持治具Ｊによれば、型枠１内に複数のアンカーボルト１０を立設保持する際に、予めナット１２を螺挿したアンカーボルト１０を保持板６の下方から大径の挿通孔８を挿通して上記保持板６の両端を型枠１の上端２ａ、４ａに跨設保持して幅方向を規制し、上記保持板６の上部に突出したアンカーボルト１０の上端からナット１４を螺挿して上記ナット１４の円形状ボス１６を上記保持板６の大径挿通孔８に嵌合し、この状態で上記保持板６の上下両面を上記一対のナット１２、１４で挟持することでアンカーボルト１０が型枠１内に立設保持される。
【考案の効果】
【００１３】
本考案は以下の効果を奏する。
【００１４】
請求項１に記載の考案によれば、保持板の下面から大径の挿通孔を挿通して上部に突出したアンカーボルトに螺挿したナットのボスを上記大径挿通孔に嵌合した状態で保持板の両端を型枠上端に跨設保持し、上記保持板の上下両面を上記一対のナットで挟持することで複数のアンカーボルトをコンクリート型枠内に長手方向に沿って正確な間隔で立設保持することができる。
【図面の簡単な説明】
【００１５】
【図１】本考案に係るコンクリート型枠用アンカーボルト保持治具を使用してコンクリート型枠内にアンカーボルトを立設保持した状態を示す斜視図である。
【図２】本考案に係るコンクリート型枠用アンカーボルト保持治具を使用してアンカーボルトをコンクリート型枠内に立設保持した状態を示す断面図である。
【図３】本考案に係るコンクリート型枠用アンカーボルト保持治具の要部拡大断面図である。
【図４】本考案に係るコンクリート型枠用アンカーボルト保持治具の一部を構成するナットの斜視図である。
【図５】従来のコンクリート型枠用間隔保持治具であって、アンカーボルト保持治具の設置状態を示すコンクリート型枠の断面図である。
【図６】従来のアンカーボルト保持治具の設置状態を示すコンクリート型枠の平面図である。
【考案を実施するための形態】
【００１６】
以下、本考案の実施するための形態について、図面を参照して説明する。
【００１７】
図１において、１はコンクリート型枠であって、このコンクリート型枠（以下「型枠１」と称する。）は、後述する間隔保持具を使用してベースコンクリートＢＣ上に立設状態に保持されている。
【００１８】
上記型枠１は、折り曲げ成形された鋼板を使用した溶接構造物で構成され、所定間隔で対向配置される内枠２と外枠４とから構成されており、これら内枠２と外枠４は、間隔保持具５を使用してベースコンクリートＢＣ上に立設状態で個別に保持されるようになっており、接続部Ｔを介して所定長さに接続されるようになっている。
【００１９】
図２において内枠２と外枠４は、薄板鋼板で短冊状に形成された間隔保持具５を介して一定間隔離間した状態で立設保持され、上記内枠２と外枠４の内側には長手方向に沿ってアンカーボルト１０が後述する本考案に係るコンクリート型枠用アンカーボルト保持治具（以下「アンカーボルト保持治具Ｊ」と称する。）を使用して所定間隔毎に立設保持するようになっている。
【００２０】
このアンカーボルト保持治具Ｊは、上記型枠１の上端部である天端面２ａ、４ａ間に両端が幅方向規制された状態で跨設保持され、中央部に上記アンカーボルト１０の直径より大径の挿通孔８を穿設した保持板６と、この保持板６の挿通孔８に挿通したアンカーボルト１０に螺挿し上記保持板６の上下面を挟持する一対のナット１２、１４とから構成されている。
【００２１】
上記内枠２と外枠４の天端面２ａ、４ａには、薄板状の鋼板をコ字状に折曲した保持板６が跨設保持されて図示しない保持具（クランパー等）により仮り止めされるようになっている。この保持板６は、帯板状に形成されて折曲された両端に上記内枠２と外枠４の天端面２ａ、４ａ両外側端に係止する一対の係止部６ａ、６ｂが形成され、中央部には上記アンカーボルト１０の直径より大径の挿通孔８が穿設されている。
【００２２】
上記内枠２と外枠４の天端面２ａ、４ａ上に跨設保持された保持板６の大径挿通孔８を挿通したアンカーボルト１０は、これを螺挿した一対のナット１２、１４を介して保持板６に立設保持されている。
【００２３】
詳しくは、図３、図４に示すように上記保持板６の上面を締め付けるナット１４の締め付け面には、上記挿通孔８に嵌合する円形のボス１６が突設しており、上記ボス１６は、その外径が上記保持板６の挿通孔８の内径と略同一で且つ上記ナット１４の締め付け面からの高さが保持板６の板厚以内で１／２以上の寸法で形成されており、上記ボス１６の先端角部には、先端から、該先端と締め付け面との間の略中央の位置にかけて傾斜面とした面取り１８が施されている。
【００２４】
そこで、アンカーボルト１０を上記型枠１内に立設する際は、予め下方に位置するナット１２をアンカーボルト１０の上端から螺挿した状態で上記保持板６の下方から大径の挿通孔８を挿通して上方に突出させ、当該保持板６の両端を上記内枠２と外枠４の天端面２ａ、４ａ間に跨設保持して幅方向の動きが規制されるようになっている。
【００２５】
次に、上記保持板６の上部に突出したアンカーボルト１０の上端から次のナット１４を螺挿して、上記ナット１４の円形のボス１６を上記保持板６の大径挿通孔８に嵌合し、このナット１４と最初に螺挿したナット１２によって上記保持板６の上下両面を挟持することでアンカーボルト１０が型枠１の内部に立設保持される。尚、ナット１４の円形のボス１６を保持板６の大径挿通孔８に嵌合するときには、該円形のボス１６の先端角部に、先端から、該先端と締め付け面との間の略中央の位置にかけて傾斜面とした面取り１８が施されているから、このテーパー状の面取りによってボス１６はスムーズに且つ確実に大径挿通孔８内に入り込むものである。
【００２６】
このようにすることで、複数のアンカーボルト１０を基準点から上記型枠１内に墨だしされた一定の間隔毎に正確に立設保持することができる。また、アンカーボルト１０のボス１６は、外径が上記保持板６の大径挿通孔８の内径と略同一に形成されているが、ボス１６の先端角部には面取り１８が施されているので、上記大径挿通孔８内に円滑に挿嵌することができる。
【００２７】
次に、アンカーボルト１０が型枠１内に一定の間隔毎に立設保持されると、上記型枠１内にコンクリートＣが打設されて所定時間養生後に複数のアンカーボルト１０が一定間隔毎に正確に立設保持されたコンクリート基礎が構築される。
【００２８】
この・らに、コンクリート型枠用アンカーボルト保持治具を使用することで、複数のアンカーボルト１０を型枠１内に長手方向に沿って正確な間隔で立設保持することができるので、建築施工期間を短縮することができ、施工費用を低減することができる。
【００２９】
コンクリート基礎が構築された後は、アンカーボルト１０から保持板６上のナット１４を取外した後、全ての保持板６がアンカーボルト１０から取外される。アンカーボルト１０から上記保持板６を取外す際は、挿通孔８がアンカーボルト１０の直径より充分に大径に形成されているので保持板６をアンカーボルト１０から容易に抜き出すことができ、最後に残ったナット１２をアンカーボルト１０から取外すことで複数のアンカーボルト１０を正確な間隔で立設保持したコンクリート基礎の施工が完成する。
【符号の説明】
【００３０】
１  コンクリート型枠（型枠）
２  内枠
２ａ、４ａ  天端面
４  外枠
６  保持板
６ａ、６ｂ  係止部
８  挿通孔
１０  アンカーボルト
１２、１４  ナット
１６  ボス
１８  面取り
ＢＣ  ベースコンクリート
Ｃ  コンクリート
Ｊ  アンカーボルト保持治具
【図１】
0003154621.tif 000003
【図２】
0003154621.tif 000004
【図３】
0003154621.tif 000005
【図４】
0003154621.tif 000006
【図５】
0003154621.tif 000007
【図６】
0003154621.tif 000008